(57)【要約】【課題】外出先などにおいて、印刷物撮影した特定の場所を記憶するのに、住所をさがし、メモ帳などに記憶する必要があるなど手間がかかる。また、デジタルカメラにＧＰＳなどの位置情報を取得する機能を追加すると、重量化やコスト高に繋がり、使用者１３１の利便性が悪くなる。【解決手段】位置情報と取得した時刻を記憶し、画像情報と取得した時刻を受信して、それぞれの時刻を比較して関係付けて記憶する。このようにして、後に画像情報を位置情報にて分類して、先に記憶した位置情報を、自宅で情報検索、メモ編集、または印刷物編集などに利用することで、特に使用者１３１の利便性と安全性が向上する。【選択図】　　　図１
2004140658.tif 000002
【特許請求の範囲】
【請求項１】
位置情報を取得する携帯型情報装置または画像情報を取得する画像取得装置に接続して情報を得る情報処理装置において、前記携帯型情報装置が取得した位置情報と該位置情報を特定する第１の固有情報とを記憶する記憶手段と、前記画像取得装置が取得した画像情報と該画像情報を特定する第２の固有情報とを受信する受信手段と、前記第１の固有情報と前記第２の固有情報を比較して前記画像情報と前記位置情報を関係付ける処理手段とを有する情報処理装置。
【請求項２】
前記記憶手段は、位置情報を特定していない第３の固有情報を記憶し、前記処理手段は、前記第１の固有情報と前記第３の固有情報を処理し、前記第１の固有情報を位置情報を特定することにより検出し、前記位置情報と前記第３の固有情報を関係付けることを特徴とする請求項１に記載の情報処理装置。
【請求項３】
前記受信手段は、第２の画像情報と、該第２の画像情報を特定する第４の固有情報とを受信し、前記処理手段は、前記第３の固有情報と前記第４の固有情報を比較して前記第２の画像情報と前記位置情報を関係付けることを特徴とする請求項２に記載の情報処理装置。
【請求項４】
前記第１の固有情報、前記第２の固有情報、前記画像情報、前記位置情報のうちの少なくとも一つを記憶する情報記憶手段を有することを特徴とする請求項２に記載の情報処理装置。
【請求項５】
前記第１の固有情報は、前記携帯型情報装置が前記位置情報を取得した時刻を有することを特徴とする請求項２に記載の情報処理装置。
【請求項６】
前記第１の固有情報または前記第３の固有情報は、文字情報または音声情報を有することを特徴とする請求項２に記載の情報処理装置。
【請求項７】
前記第２の固有情報または前記第４の固有情報は、前記画像取得装置が前記画像情報を取得した時刻を有することを特徴とする請求項２から請求項４に記載の情報処理装置。
【請求項８】
前記位置情報は、緯度、経度、高度のうちの少なくとも一つを有することを特徴とする請求項２に記載の情報処理装置。
【請求項９】
前記画像情報は、動画情報または静止画情報を有することを特徴とする請求項２に記載の情報処理装置。
【請求項１０】
前記記憶手段にて記憶する情報を取得するのに個人認証を行うことを特徴とする請求項２に記載の情報処理装置。
【請求項１１】
水晶時計、電波時計、原子時計のうちの少なくとも一つを有し、前記携帯型情報装置から位置情報を受信した時刻、または受信して記憶した時刻を固有情報として取得することを特徴とする請求項２に記載の情報処理装置。
【請求項１２】
前記携帯型情報装置とネットワークを介して情報を受信するサーバーと、前記画像取得装置と有線、無線または記憶媒体を介して情報を受信するコンピュータと、前記サーバーと前記コンピュータとの情報伝送路とを有する請求項２に記載の情報処理装置。
【請求項１３】
位置情報、該位置情報を特定する第１の固有情報、さらに位置情報を特定しない第３の固有情報を得る携帯型情報装置と、画像情報と該画像情報を特定する第２の固有情報を得る画像取得装置と、請求項１から請求項１３のいずれか一に記載の情報処理装置と、前記携帯型情報装置と前記情報処理装置との情報伝送路と、前記情報処理装置と前記画像取得装置との情報伝送路を備える位置情報利用システム。
【請求項１４】
位置情報と該位置情報を特定する第１の固有情報とを記憶する第１段階と、第３の固有情報を記憶する第２段階と、画像情報と該画像情報を特定する第２の固有情報とを受信する第３段階と、前記第１の固有情報と前記第３の固有情報を関係付ける第４段階と、前記第１の固有情報及び前記第３の固有情報と前記第２の固有情報を比較して、前記画像情報と前記位置情報とを関係付けて記憶する第５段階を有する画像管理方法。
【請求項１５】
位置情報と該位置情報を特定する第１の固有情報とを記憶する第１段階と、第３の固有情報を記憶する第２段階と、前記第１の固有情報と前記第３の固有情報を関係付けて記憶する第３段階と、画像情報と該画像情報を特定する第２の固有情報とを受信する第４段階と、前記第１の固有情報及び前記第３の固有情報と前記第２の固有情報を比較して、前記画像情報と前記位置情報とを関係付けて記憶する第５段階を有する画像管理方法。
【請求項１６】
位置情報と該位置情報を特定する第１の固有情報とを記憶する第１段階と、第３の固有情報を記憶する第２段階と、画像情報と該画像情報を特定する第２の固有情報とを受信する第３段階と、第２の画像情報と該第２の画像情報を特定する第４の固有情報とを受信する第４段階と、前記第１の固有情報と前記第２の固有情報を比較して、前記画像情報と前記位置情報とを関係付け、前記第３の固有情報と前記第４の固有情報を比較して、前記第２の画像情報と前記固有情報とを関係付ける第５段階、前記第１の固有情報と前記第３の固有情報を比較して、前記第２の画像情報と前記位置情報を関係付けて記憶する第６段階を有する画像管理方法。
【発明の詳細な説明】
【０００１】
【発明の属する技術分野】
使用者１３１が外出先でデジタルカメラなどで画像を取得した場所を、後に使用者１３１が自宅のパソコンなどで明らかにして、編集するのに用いる情報処理装置、位置情報利用システム、および画像管理方法に関する。
【０００２】
【従来の技術】
携帯電話で得るＧＰＳ（Ｇｒｏｂａｌ　Ｐｏｓｉｔｉｏｎｉｎｇ　Ｓｙｓｔｅｍ）による位置情報の取得は、携帯電話による位置情報の提供サービスとしてＫＤＤＩ株式会社などにより紹介されている（例えば、非特許文献１参照。）。携帯電話による位置情報管理システムはＧＴＰＳ（Ｇｌｏｂａｌ　Ｔｅｌｅｐｈｏｎｙ　Ｐｏｓｉｔｉｏｎｉｎｇ　Ｓｙｓｔｅｍ）とも呼ばれている。ＳＯＮＹ株式会社のＩＰＳ−８０００のように携帯電話と接続して使用する製品もある。ＦＭ放送局を利用した正確な位置情報の取得はＤ−ＧＰＳとして、株式会社衛星測位情報センター（ｗｗｗ．ｇｐｅｘ．ｃｏ．ｊｐ）により紹介されている。
【０００３】
位置情報の利用は、カーナビゲーションシステム、宅配会社などの荷物現在位置表示サービス、警備会社などによる盗難車発見サービス、携帯電話会社の待ち合わせ場所通知サービス、または非常事態時の現在位置通知サービスなどがある。さらに、ＧＰＳ機器にて取得した位置情報と、デジタルカメラで取得した画像情報とを関係付けて、どこの場所で取得された画像かを記憶する方法が「失敗しないデジカメ撮影術「デジカメｄｅ！！同時プリント５」編集術」（村上俊一著メディア・テック出版　２００１年１０月発行）などでも取り上げられている。また、コダック社は、ＧＰＳ機能による位置情報取得手段を搭載したデジタルカメラのシステムとしてＧＰＳ−２６０などを発表している。外出先で画像を取得した場所を後で特定するのには、専用のＧＰＳ機能付きデジタルカメラを用いたり、または位置情報を記録するＧＰＳ機器の時刻とデジタルカメラの時刻による同期にて、後に位置と画像を同期するシステムを用いればよい。しかし、位置情報は個人情報であり、利用方法で、デジタルカメラと、位置情報を記録するＧＰＳ機器を紛失した場合、画像に写る人物と、過去の記録より自宅の位置なども明らかになる可能性がある。
【０００４】
【非特許文献１】
日本経済新聞社　「朝刊」２００１年１２月１３日　６頁　全面広告
【０００５】
【発明が解決しようとする課題】
このように、使用者１３１の安全性を確保するにあたり、位置情報を取得後に取得した装置と別の装置へ送信しておく必要が生じる。しかし、後に画像の取得場所ごとに分類する目的により、毎回ＧＰＳ機器を動作して位置情報を取得するのでは、逐一時間がかかり、電力も消費される。位置をインターネットなどで接続するサーバなどで詳細に計算などするには、通信費用もかかり、画像取得のたびに１０秒から２０秒も要し利便性も悪い。特に、位置情報がほぼ同一の場所にて、複数の画像を取得する場合、位置取得作業にも手間がかかる。
【０００６】
本発明は前記問題点に鑑みてなされたもので、位置情報と画像情報を別々に送信して後に編集して、画像を取得した場所が位置情報により明らかになるようにする情報処理装置を提供する。さらに、ほぼ同一の場所にて取得した、複数の画像を、他の場所にて取得した画像と分類、編集する情報処理装置を提供する。さらに、これを利用した位置情報利用システム、および画像管理方法を提供することを他の目的とする。
【０００７】
【課題を解決するための手段】
位置情報を取得する携帯型情報装置または画像情報を取得する画像取得装置に接続して情報を得る情報処理装置において、前記携帯型情報装置が取得した位置情報と該位置情報を特定する第１の固有情報とを記憶する記憶手段と、前記画像取得装置が取得した画像情報と該画像情報を特定する第２の固有情報とを受信する受信手段と、前記第１の固有情報と前記第２の固有情報を比較して前記画像情報と前記位置情報を関係付ける処理手段とを有する情報処理装置を提供する。
【０００８】
さらに、前記記憶手段は、位置情報を特定していない第３の固有情報を記憶し、前記処理手段は、前記第１の固有情報と前記第３の固有情報を処理し、位置情報を有する前記第１の固有情報を検出し、前記位置情報と前記第３の固有情報を関係付けてもよい。さらに、前記受信手段は、第２の画像情報と、該第２の画像情報を特定する第４の固有情報とを受信し、前記処理手段は、前記第３の固有情報と前記第４の固有情報を比較して前記第２の画像情報と前記位置情報を関係付けてもよい。このような構成の情報処理装置を用いて、後に利便性よく画像情報と位置情報を関係付けて記憶するようにする。
【０００９】
【発明の実施の形態】
（実施例１）　　図１は、位置情報利用システムの一例を示した図である。使用者１３１が、画像情報を取得した場所の位置情報を携帯電話などを用いて取得して、帰宅後に自宅のコンピュータを操作して画像情報を整理する。つまり、コンピュータ上で位置情報と画像情報を関係付けることで、使用者１３１が画像を取得した位置を明らかにして記録したり、画像を印刷した印刷物などから撮影した位置を明らかにしたりする。このように使用者１３１が、日記やアルバム作成などの記録、編集、または撮影した位置周辺に関する情報検索などを可能にし、忘れやすく表現しにくい位置情報を画像情報と利便性よく、活用する情報処理装置を提供する。位置情報とは、緯度と経度と高度のうちの少なくとも１つを有し、地図情報上などで位置を特定するのに用いる情報であればよい。位置情報は住所、位置を特定する名称、さらにランドマークの名称などでもよい。画像情報とは、静止画情報や動画情報などでよい。画像情報は利用機器に適したなどファイル形式を選択すればよい。例えばＪＰＥＧまたはＭＰＥＧなどの圧縮されたファイル形式でもよく、風景や人や物などが写り、写真や映像のようにコンピュータが画面上に表示するのに用いるデータ、インターネットで送受信されるデータ、または印刷するのに用いるデータであればよい。
【００１０】
図１において、情報処理装置１は、使用者１３１の自宅のサーバー、コンピュータ、ＩＰ電話、印刷機、またはデジタル家電などであればよい。サーバーなどは近年自宅用サーバーなどが販売され他の機器に連動したシステムを構築しやすい。ＩＰ電話は常時立ち上げているために情報を受信しやすい。印刷機では、画像情報に位置情報を添付して印刷するのに利便性が高い。デジタル家電などでは、画像情報に位置情報を添付して閲覧しやすい。他の情報処理装置１の構成例として、使用者１３１のコンピュータと提供者のサーバーと情報伝送路を有する構成からなるシステムなどがあげられ、位置情報利用システムの多様性に対応することが可能となる。システムとは、ネットワークで接続されたコンピュータやコンピュータシステムなどの構成要素からなる集合体で、全体として一つの目的を持った仕事をするものをいう。ただし、情報処理装置１がシステムで構成されていても使用者１３１が、操作する入力装置や表示装置を備えることが利便性から好ましい。同様に、情報処理装置１をシステムとして構成した場合、使用者１３１が操作する構成例は、サーバー、コンピュータ、固定電話、ＩＰ電話、印刷機、またはデジタル家電などが挙げられる。提供者が操作する構成としては、各種のサーバー、コンピュータ、記憶装置などが挙げられる。このように情報処理装置１は使用者１３１の構成と提供者の構成が情報伝送路で接続されたシステムであってもよい。サーバーなどに記憶手段を格納すると、画像情報と位置情報を取得する外出先から位置情報を送信したり、後に画像情報と位置情報を編集する自宅や会社にて位置情報を受信したり、インターネットを介して情報を容易に一時保管しておけて、利便性がよい。また、使用者の保有するコンピュータと別に、提供者のサーバを利用することにより、個人のような使用者１３１においても、外出中にコンピュータをインターネットに常時接続しておいたり、電源を入れたままにしておく必要がなく、利便性が向上する。
【００１１】
図１において、情報処理装置１は、携帯型情報装置６が取得した位置情報ａ１と位置情報ａ１を特定する固有情報Ａ１を記憶する記憶手段２と、画像取得装置７が取得した画像情報ｂ１と、画像情報ｂ１を特定する固有情報Ｂ１を受信する受信手段３と、固有情報Ａ１と固有情報Ｂ１を比較して画像情報ｂ１と位置情報ａ１を関係付ける処理手段４を有する。さらに、記憶手段２は、位置情報を特定していない固有情報Ａ２を記憶し、処理手段４は、固有情報Ａ１と固有情報Ａ２を処理し、固有情報Ａ１を検出し、位置情報ａ１と固有情報Ａ２を関係付けてよい。さらに、受信手段３は、画像情報ｂ２と、画像情報ｂ２を特定する固有情報Ｂ２とを受信し、処理手段４は、固有情報Ａ２と固有情報Ｂ２を比較して画像情報ｂ２と位置情報ａ１を関係付けてよい。
【００１２】
これら手段を動作するプログラムを情報処理装置１が有すればよい。固有情報とは、時刻情報、番号情報、暗号情報、文字情報、音声情報などを有せばよく、組み合わせて利用されてもよく、少なくとも画像情報を取得した後に、位置情報または画像情報の関係付けに使えればよい。時刻情報とは、年、日、時、分、秒や、独自のコードなどで特定される時刻であり、携帯型情報装置６と画像取得装置７が異なる装置を用いても、時刻情報は、特に何らかの手段を２つの装置に設けて同期をとらずに、共有して利用できて構築し易い固有情報である。ただし、処理手段４にて携帯型情報装置６と画像取得装置７から、それぞれ受信する固有情報を利用する場合、使用者１３１、または提供者がそれぞれ装置の時刻合わせなど、同期をとればよい。また、固有情報は、使用者１３１を特定する識別番号または携帯型情報装置６を識別する情報、例えばＩＤ番号、製造番号、電話番号、アドレスなどを有してもよい。
【００１３】
図１において、携帯型情報装置６と画像取得装置７は、水晶時計、電波時計、無線発信局より時刻情報を得る時計装置などを有すると、精度よく時刻情報を得られる。特に電波時計を有すると自動的に時刻情報が設定され利便性が高い。番号情報は連番、バーコードなどを用いる。暗号情報は、例えば、画像情報を暗号化または復号化する電子鍵などを用いる。本例の固有情報Ａ１は、携帯型情報装置６が位置情報ａ１を取得した時刻を有するが、位置情報ａ１と画像情報ｂ１とに共通に付けられたり、関係を明らかにして作成された固有情報であればよく、情報処理装置１が自動で分類したり、使用者１３１が分類するのに容易な情報であればよい。本例の固有情報Ｂ１は、画像取得装置７が画像情報ｂ１を取得した時刻を少なくとも有するが、位置情報ａ１と画像情報ｂ１とに共通に付けられたり、関係を明らかにして作成された固有情報であればよく、情報処理装置１が自動で分類したり、使用者１３１が分類するのに容易な情報であればよい。固有情報を印刷物に記載して画像情報ｂ１とともに印刷する場合について説明する。例えば、固有情報Ｂ１を印刷物に記載して画像情報ｂ１とともに印刷すると、使用者１３１が印刷物に記載された固有情報Ｂ１を情報処理装置１へ入力すると記憶手段２にて記憶される固有情報Ａ１または固有情報Ｂ１と比較して位置情報ａ１が特定され、さらに地図情報を表示して、撮影した場所を明らかにすることが可能となり、使用者１３１に利便性が高い位置情報利用システムを提供できる。
【００１４】
提供者とは、主に位置利用システムや画像管理方法を提供する企業であり、例えば、通信業者、サーバーの運営業者、ポータルサイト運営業者、印刷会社または装置製造会社などである。提供者がそれぞれ操作するまたは一部を操作する情報処理装置１を用いることで、提供者はホームページの利用を促進したりする付加価値のある役務として、位置情報利用システム、及び画像管理方法、またはその一部を使用者１３１へ提供することが可能となる。また、携帯型情報装置６、画像取得装置７の機器販売を促進したりすることも可能となる。
【００１５】
さらに、本例では、情報処理装置１は、時計装置から構成される時刻情報取得手段１０２を有し、携帯型情報装置６から位置情報ａ１を受信した時刻を固有情報Ａ１として記憶する。時計装置の例として、原子時計、水晶時計、または電波時計などが挙げられる。さらに、本例では、情報処理装置１は、位置情報ａ１を携帯型情報装置６より少なくとも受信する位置情報受信手段１０１と、固有情報Ａ１、位置情報ａ１、画像情報ｂ１、さらに固有情報Ｂ１を少なくとも記憶する情報記憶手段５を有する。ずべてを同時に記憶しておかなくてもよい。例えば画像情報ｂ１を固有情報Ａ１と印刷した後は、固有情報Ａ１と位置情報ａ１のみ記憶しておいてもよい。さらに、情報処理装置１は、位置情報ａ１により特定する地図情報または地域情報のうち少なくとも一つを、例えばインターネットで接続するサーバやＣＤ−ＲＯＭから取得する情報取得手段を有してもよい。これにより、地図情報を得ることで、位置情報ａ１を地図上で特定したり表示することができ、利便性が高い。また、地域情報を得て、位置情報ａ１の周辺の店舗や施設の広告、情報、電話番号、または所在位置を得て調査することが可能となり、日記などの使用者１３１の記憶を充実させ、利便性が高くなる。
【００１６】
記憶手段２は、本例では、ＨＤＤ（Ｈａｒｄ　Ｄｉｓｋ　Ｄｒｉｖｅ）を記憶装置として用いる。記憶手段２にて用いる記憶装置としては、磁気ドライブ、光ディスクなど磁気記憶装置、半導体記憶素子など半導体記憶装置のいずれでもよいが、安全に記憶することを重視し、省電力性や、軽量性や、耐久性や、コストにより選択すればよい。記憶装置により電気や、磁気や、光などを用いて記憶する。半導体記憶装置は、ＲＯＭ（Ｒｅａｄ　Ｏｎｌｙ　Ｍｅｍｏｒｙ）や、ＲＡＭ（Ｒａｎｄｏｍ　Ａｃｃｅｓｓ　Ｍｅｍｏｒｙ）や、ＥＥＰＲＯＭ（Ｅｌｅｃｔｒｉｃａｌｌｙ　Ｅｒａｓａｂｌｅ　Ｐｒｏｇｒａｍｍａｂｌｅ　Ｒｅａｄ　Ｏｎｌｙ　Ｍｅｍｏｒｙ）、ＦＲＡＭ（Ｆｅｒｒｏｅｌｅｃｔｒｉｃ　Ｒａｎｄｏｍ　Ａｃｃｅｓｓ　Ｍｅｍｏｒｙ）などを利用すればよい。また、記憶手段２は、フレキシブルディスク、ＭＯディスク、ＳＤカード（登録商標）、メモリィースティック（登録商標）などの記憶媒体を利用しても良い。
【００１７】
図１において、記憶手段２は、位置情報受信手段１０１にて受信した順に位置情報と固有情報を記憶すればよい。使用者１３１が記憶装置内に専用の記憶領域を有してもよく、その記憶領域へ受信した順に位置情報と固有情報を蓄積していってもよい。また、固有情報が時刻情報または連番情報である場合、位置情報を明らかに順序良く記憶でき、使用者１３１が編集するのを容易にし、利便性を向上する。また、位置情報を一定間隔で自動に取得して記憶してもよく、使用者１３１などが時間間隔を携帯型情報装置６、または情報処理装置１を操作して、設定してもよい。記憶手段２にて記憶した情報を利用するのに使用者１３１の個人認証することで、情報の利用を許可すると、使用者１３１の安全性が向上する。
【００１８】
図１において、記憶手段２は、位置情報ａ１と固有情報Ａ１と関係付けて記憶されるが、位置情報と関係ない固有情報Ａ２を携帯型情報装置６より受信して記憶しても良い。このように、記憶手段２にて位置情報を特定しない固有情報を記憶する例として、使用者１３１が、取得した位置情報ａ１がほぼ同じである複数の画像情報を、固有情報Ａ１と固有情報Ａ２という異なる情報にて、後に分類したい場合があげられる。この時、固有情報Ａ１と固有情報Ａ２は、時刻情報の違い、連続番号の違い、使用者１３１が携帯型情報装置６にて入力する文字列の違いなどでもよい。位置情報を特定しない固有情報を用いる別の例として、地下などで位置情報取得が困難なため後に正確な位置情報を特定するのを補助する情報を固有情報Ａ２として使用者１３１が入力した場合があげられる。補助的な情報とは、場所の名称、ビルの階数、または部屋番号などでもよい。さらに、位置情報を特定しない固有情報を用いる別の例として、安全性などの理由により、特定の文字列などを含む固有情報に位置情報を関係付けたくない、または特定の画像情報に位置情報を関係付けたくない場合などでもよい。
【００１９】
図１において、受信手段３は、画像取得装置７と有線の情報伝送路９にて接続して画像情報ｂ１と固有情報Ｂ１を受信すればよい。画像情報ｂ１は、動画情報または静止画情報でもよい。図１において、情報伝送路９は画像取得装置７のＵＳＢコネクタと情報処理装置１のＵＳＢコネクタとＵＳＢケーブルでハード的な接続を構成して、専用のプロトコルにより情報を送受信する。他の主な情報伝送路９の構成として、記憶媒体に記憶して、画像取得装置７と情報処理装置１間で脱着して情報を伝送してもよい。また、近距離無線通信を用いて伝送してもよい。
【００２０】
図１において、処理手段４は、位置情報ａと画像情報ｂを関係付ける。本例では、複数の画像情報を位置情報ごとに分類し、さらに取得した時間帯ごとに分類する。記憶手段２で記憶する固有情報Ａ１と受信手段３で受信する固有情報Ｂ１を比較して画像情報ｂ１と位置情報ａ１を関係付ける。記憶手段２にて利用する情報を処理手段で用いるにあたり、個人認証手段を用いてもよく、これにより安全性を向上する。記憶装置などに処理領域を作成してＣＰＵ（中央演算処理装置）などが処理すればよい。本例では、固有情報Ｂ１を固有情報Ａ１で分類して従属を明らかにして、位置情報ａ１と画像情報ｂ１を関係付ける。関係付けるとは、情報と情報の関係を明らかにすることであり、例えば分類したり、１対１であると判断したり、対になるものがないと判断したり、一方から他方を特定できるようにする。分類とは、位置情報または画像情報をある基準に従って分け、例えば一方を他方に従属させるなどする。本例では特に、使用者１３１が決めた基準に従って、固有情報Ｂ１にて特定される画像情報ｂ１を固有情報Ａ１により特定される位置情報ａ１に従属させる。固有情報を比較するとは、例えば、時系列で固有情報Ａ１、固有情報Ａ２、固有情報Ｂ１を並べればよく、比較する事により、画像情報に関係する固有情報Ｂ１を時刻の早い固有情報Ａ１に関係付けるなどすればよい。
【００２１】
図１の処理手段４は、固有情報Ａ１と固有情報Ａ２を処理し、複数の固有情報Ａ１のうち位置情報ａ１を特定する固有情報Ａ１と、位置情報と関係ない固有情報Ａ２が存在するか確認し、固有情報Ａ２が存在するならば、位置情報ａ１を特定する固有情報Ａ１を検出し、位置情報ａ１と固有情報Ａ２を関係付けてもよい。これにより、受信手段３にて画像情報ｂ３を特定する固有情報Ｂ３を受信した場合、処理手段４にて、固有情報Ａ２と固有情報Ｂ３を比較して画像情報ｂ３と位置情報ａ１を関係付ける。さらに、固有情報Ａ１と固有情報Ａ２の存在により、画像情報ｂ３は、画像情報ｂ１と画像情報ｂ２と分類することが可能となり、利便性を向上する。
【００２２】
図１の処理手段４は、例えば、時刻が１月１３日１３時００分で示される固有情報Ａ１に特定される位置情報ａ１と、時刻が１月１３日１５時１５分で示される固有情報Ａ２とがあり、さらに時刻が１月１３日１３時１３分で示される固有情報Ｂ１に特定される画像情報ｂ１と、時刻が１月１３日１３時２０分で示される固有情報Ｂ２に特定される画像情報ｂ２と、時刻が１月１３日１５時２０分で示される固有情報Ｂ３に特定される画像情報ｂ３とがある場合について考える。
【００２３】
この場合、複数の固有情報を時刻順に並べると、固有情報Ａ１、固有情報Ｂ１、固有情報Ｂ２、固有情報Ａ２、さらに固有情報Ｂ３の順となる。さらに、画像情報を特定する固有情報Ｂ１を時刻の早い固有情報Ａ１に関係付けて並べると、固有情報Ａ１に固有情報Ｂ１と固有情報Ｂ２は従属されて、固有情報Ａ２に固有情報Ｂ３は従属される。このような手順で、位置情報ａ１に画像情報ｂ１と画像情報ｂ２は関係付けられて、同様に位置情報ａ１に画像情報ｂ３は関係付けられる。この時、固有情報Ａ１と固有情報Ａ２の存在により、画像情報ｂ１および画像情報ｂ２と、画像情報ｂ３は、区別される。また、位置情報ａ１と異なる位置情報と、これらと関係付けられる画像情報も、位置情報の違いにより分類できる。
【００２４】
図１の、処理手順４において処理する手順の別の一例として、番号０００１である固有情報Ａ１０に特定される位置情報ａ１０、番号０００１である固有情報Ａ１１に特定される位置情報ａ１１があり、番号０００１である固有情報Ｂ１０に特定される画像情報ｂ１０、番号０００２である固有情報Ｂ１１に特定される画像情報ｂ１１がある場合、使用者１３１が同番号を揃えて、位置情報にて画像情報を従属させることを基準として設定すると、位置情報ａ１０に画像情報ｂ１０は従属され、位置情報ａ１１に画像情報ｂ１１は従属される。
【００２５】
図１の処理手順４において、処理する手順の別の一例として、位置情報を特定する固有情報が定期的に情報処理装置１に記憶されていて、時刻２月１３日１３時００分である固有情報Ａ２１に特定される位置情報ａ２１と、２月１３日１５時００分である固有情報Ａ２２に特定される位置情報ａ２２など、複数個があり、２月１３日１５時００分である固有情報Ｂ２１に特定される画像情報ｂ２１がある場合、固有情報Ｂ２１にて一致する時刻を有する固有情報を複数より検索して、固有情報Ａ２２を特定し、画像情報ｂ２１に位置情報ａ２２が１対１で関係付けられてもよい。
【００２６】
図１において、情報記憶手段５は、処理手段４にて関係付けた固有情報Ｂ１、画像情報ｂ、固有情報Ａ１、位置情報ａ１の少なくとも一つを記憶する。固有情報Ｂ１と画像情報ｂ１を印刷した場合、固有情報Ｂ１と位置情報ａ１のみを記憶してもよく、画像情報の編集方法によって選択すればよい。情報記憶手段５は、記憶手段２と同様な記憶方法を採用すればよい。使用者１３１が記憶する容量により管理料を請求してもよい。位置情報ａ１を記憶すると、後に地図情報を取得したり、地域情報を取得するのに利便性よい。
【００２７】
図１において、情報処理装置１は、携帯型情報装置６と画像取得装置７とに接続して情報を得る。接続とは、２つの装置間にハード的な接続とソフト的な接続をして情報伝送路を確立することである。ハード的な接続は、装置間のインターフェース間を電気的に導通する線で接続したり、電磁波などの無線で接続したり、暗号情報の表示とカメラによる画像情報の受け渡しをする。ソフト的な接続は、インターフェースのデバイスドライバ、プロトコル、プロトコルを実行するプログラムなどを装置ごとに記憶し、これらを動作して各装置間で決まった規則に従いデータの受け渡しをおこなう。ソフト的な接続は、独自通信回線など、どのような情報伝送路でも、情報通信ネットワーク（１９９１年　オーム社　秋丸春夫著）記載の情報を正しく伝達するための取り決めや情報の処理に関与する取り決めがなされていればよい。インターネットやＬＡＮやＷＡＮなどを用いてもよい。インターネットを利用したデータの送受信では、ＴＣＰ／ＩＰやＵＤＰなどのプロトコル、ＨＴＴＰやＴＥＬＮＥＴなどの通信サービスを利用し、伝送中の情報漏洩を防ぐために、ＴＣＰなど伝送プロトコルの上の層にて使用されるプロトコルのうちデータを暗号化して送受信するプロトコル例えば、ＳＳＬ（Ｓｅｃｕｒｅ　Ｓｏｃｋｅｔｓ　Ｌａｙｅｒ）やＴＬＳ（Ｔｒａｎｓｐｏｒｔ　Ｌａｙｅｒ　Ｓｅｃｕｒｉｔｙ）を使用して暗号化による伝送を行うのが好ましい。このようにハード的な接続とソフト的な接続をおこない、情報伝送路を確立し、第三者に情報が漏洩しないよう、データを装置間で伝送すればよい。
【００２８】
図１において、情報伝送路８は、携帯型情報装置６と情報処理装置１の情報伝送路であり、無線、有線、または接触などを用いればよく、本例では無線電話通信網とインターネットを利用した無線と有線の複合した情報伝送路を用いる。情報伝送路９は、画像取得装置７と情報処理装置１の情報伝送路であり、無線、有線、接触などを用いればよく、本例では有線のＵＳＢケーブルを用いる。本明細書でいう接続は、主に情報伝送路を確立することである。
【００２９】
携帯型情報装置６は、個人が携帯する装置であればよく、軽量化、省電力化されている。本例では、携帯電話である。携帯型情報装置６は、主に携帯電話、ＰＨＳ、携帯型コンピュータ、腕時計、腕時計型情報機器、携帯型情報末端、携帯型ゲーム機、ＧＰＳレシーバー、キーホルダ、ＩＣカードを差し込んだりＩＣタグを組み込み機能する携帯型機器、ノートパソコン、またはこれら機器を複合化した機器やシステムなどであればよい。携帯型情報装置６は、位置情報取得手段１１１、位置情報送信手段１１３とを有し、位置情報ａ１を取得して、これを情報処理装置１へ送信する。さらに、携帯型情報装置６の内部で位置情報ａ１を特定する固有情報Ａ１を発行する固有情報取得手段１１２を有して、位置情報を特定する固有情報Ａ１を、位置情報ａ１とともに情報処理装置１へ送信してもよい。この時に、固有情報Ａ１が時刻情報である場合は、水晶時計、電波時計などの時計装置を有している必要がある。固有情報が連番であれば、カウンタ回路を有する必要がある。また近距離無線などで携帯型情報装置６と画像取得装置７が情報を送受信する手段を有せば、画像取得装置７のシャッタを押すと携帯型情報装置６より位置情報ａ１を自動的に情報処理装置１へ送信してもよい。携帯型情報装置６は画像処理装置７と一体の装置でもよいが、位置情報ａ１と画像情報ｂ１は別の情報伝送路を利用したり、または一体で伝送せずに情報処理装置１へ送信して、安全性を確保すればよい。
【００３０】
図１において、位置情報取得手段１１１は、携帯型情報装置６の現在位置を内部または外部より信号を得てこれをプログラムで処理することで算出し、特定する。携帯型情報装置６の位置情報は、本例では、使用者１３１が判断する画像を取得した場所を特定したいと考えた時に取得するが、他の例として連続的に位置情報を取得して、過去の位置を記録してもよい。本例では、使用者１３１が携帯型情報装置６に何らかの入力をした時に現在位置を取得する。画像を取得する場所がほぼ同じである場合は、１回でもよく、旅行などで複数の場所で画像を取得する場合は、複数回でもよく、使用者１３１が判断すればよい。入力手段５を操作した時である。
【００３１】
図１の位置情報取得手段１１１で、携帯型情報装置６の現在位置を特定する。現在位置を特定するのに用いる信号は、ＧＰＳ衛星を利用した無線によるＧＰＳ信号や、携帯電話の基地局からえる無線信号や、改札装置などの固定装置からえる有線信号や、携帯型情報装置６が取得する地図上での座標データや住所データであったり、現在位置が記された地図情報であったり、設置場所が明らかなＩＰアドレスなど装置の固定番号であってもよい。本例では、現在位置取得手段９はＧＰＳ受信機能、ＧＰＳ信号を用いて緯度と経度を算出するプログラムを記憶する記憶部、データをプログラムで処理するＣＰＵなどを有し、現時刻の位置の緯度と経度を特定して位置情報を取得する。さらに携帯型情報装置６は、補正データを受信して、現在位置を補正して精密に現在位置を特定してもよい。外部から周辺地図の地図情報を得て地図上で現在位置を特定してもよい。この時、地図情報を受信するプログラム、算出した現在位置を地図上で特定するプログラム、特定した座標データなどを外部へ送信し、座標データに含まれる緯度と経度付近の地図情報を受信するプログラムを記憶していてもよい。その他に、携帯電話の基地局などが、位置情報取得手段を有してもよく、使用者１３１が保持する携帯型情報装置の位置情報が得られればよい。
【００３２】
図１において、位置情報送信手段１１２は、無線電話通信網とインターネットを接続した情報伝送路にて情報処理装置１へ決められた通信形式で位置情報ａ１を送信すればよい。例えば、電子メールや、プロトコルの通信サービスを用いて送信する。位置情報取得手段１１１の後に、取得した位置情報を携帯型情報情報装置６の内部で一旦、記憶して、情報処理装置１へ送信してもよい。携帯型情報装置６に位置情報を記憶させずにすることで、安全性を向上するが、例えば、定期的に、または取得した件数にて自動的に位置情報送信手段１１２が動作してもよい。無線電話通信網とは、携帯電話、ＰＨＳであるが、無線ＬＡＮなどでもよい。
【００３３】
画像取得装置７は、デジタルカメラ、ビデオカメラなどである。画像情報取得手段１２１、固有情報取得手段１２２を有する。本例では、さらに画像情報記憶手段１２３、画像情報送信手段１２４を有する。画像情報取得手段１２１は、ＣＣＤカメラやそれらの動作回路などにより構成されればよい。固有情報取得手段１２２は、画像情報ｂ１を特定する固有情報Ｂ１を発行して、画像情報ｂ１とともに画像情報記憶手段１２３に記憶する。画像情報記憶手段１２３は、記憶手段２と同様な記憶方法で記憶すればよい。半導体記憶媒体や、配布が容易なＩＣカードなど記憶媒体をカセットやカードのように携帯型情報装置６に差し込んで記憶媒体としてもよい。画像情報送信手段１２４は、画像情報ｂ１と固有情報Ｂ１を情報処理装置１へ伝送する。本例では有線による伝送であるが、画像情報記憶手段１２３が磁気記憶装置や半導体記憶装置を用いる場合は、使用者１３１が半導体記憶媒体を画像取得装置７より外し、情報処理装置１へ装着して接続することで行われる。固有情報Ｂ１が時刻情報である場合は、水晶時計、電波時計などの時計装置を有していると、より精度よく時刻情報を取得できる。固有情報が連番であるならば、カウンタ回路を有すればよい。
【００３４】
図２は、位置情報を取得する方法の構成例である。本例の位置情報は、主に携帯型情報装置６の現在位置または、過去に存在した位置を示す。携帯型情報装置６は主に４つの方法のうち少なくとも一つの方法を用いて位置情報を取得し、現在位置を特定するが、各方法に適応した位置情報取得手段１１１を有する。第１にＧＰＳ衛星５０３ａから送信される無線信号であるＧＰＳ信号を用いて現在位置を特定する方法、第２に携帯電話などの基地局やＦＭ放送局など無線発信局５０３ｂから送信される無線信号を用いて現在位置を特定する方法、第３に固定機器５０３ｃから送信される有線信号を用いて現在位置を特定する方法。第４に内部センサから出力される出力信号を用いて自立航法により現在位置を特定する方法である。
【００３５】
図２において、現在位置取得の第１の方法について説明する。ＧＰＳによる位置情報の取得は、ＫＤＤＩ株式会社、ＳＯＮＹ株式会社、株式会社衛星測位情報センターにより紹介されている方法を利用すればよい。現在位置取得の第１の方法は、現在位置の特定の他に、他の方法による現在位置の特定を補正する手段として用いても良い。
【００３６】
図２において、ＧＰＳによる現在位置の特定は、航空機や船舶の現在位置の特定に一般的に利用されてきた。近年、カーナビゲーションシステムによる車の現在位置や、携帯電話による歩行者の現在位置の特定にも利用されている。米国の国防総省に監視されているＧＰＳ衛星５０３ａを利用する。ＧＰＳ衛星５０３ａは、地球を一周１２時間の周期で周り、米国は高度２万ｋｍの高度の異なる軌道で２４個程度を配置している。ＧＰＳ衛星５０３ａは擬似ランダムコード（Ｐｓｅｕｄｏ−Ｒａｎｄｏｍ　Ｃｏｄｅ）を含むＧＰＳ信号を電波で搬送して一方的に地上へ発信している。携帯型情報装置６は受信プログラムを起動すると、ＧＰＳ信号受信機能が動作され、情報伝送路５０２ａを確立して、ＧＰＳ信号をＧＰＳ信号受信装置５０１ａから受信する。ＧＰＳ信号に含まれる擬似ランダムコードから、ＧＰＳ信号がＧＰＳ衛星５０３ａから携帯型情報装置６まで到達する到達時間を特定する。「到達時間」×「ＧＰＳ信号の伝達速度」＝「ＧＰＳ衛星５０３ａから携帯型情報装置６までの距離」となる。同様に他の２つの衛星からの距離から得て、三角測量の要領で現在位置を特定する。例えば、ＧＰＳ信号の到達時間が０．０５秒、ＧＰＳ信号の伝達速度を電波の伝達速度である秒速２９７６００ｋｍとすると、距離は１４８８０ｋｍとなる。携帯型情報装置６は、半径１４８８０ｋｍの球面上に存在することとなる。他の２つのＧＰＳ衛星からの距離が２２１００ｋｍ、２４１００ｋｍであれば、３つの球が重なった点が携帯型情報装置６の現在位置である。重なる点は２つあるが、現実的に地球上に存在する点を選択したり、４つ目のＧＰＳ衛星を利用したり、地球を一つの球に用いて、１点を特定する。利用するＧＰＳ衛星の数が多いほど正確に現在位置を算出し易い。
【００３７】
図２において、第１の方法でいう、擬似ランダムコードは、Ｃ／ＡコードとＰコードがあり、Ｃ／Ａコードが民間で利用し、１５７５．４２ＭＨｚの電波で搬送される。ＧＰＳ衛星５０３ａが原子時計を用いて発信する瞬間の時刻を示す擬似ランダムコードを含むＧＰＳ信号を発信し、携帯型情報装置６が内部時計にて発信した時刻と受信した時刻の差から到達時間を特定する。携帯型情報装置６の内部時計の誤差は、三角測量の解が出ないことなどから、内部時計の誤差を修正するなどの処理を携帯型情報装置６がおこなう。また、Ｃ／Ａコードは、悪用を防ぐために故意に誤差が作られている。このため、現在位置Ｂ１が確かな無線発信局や、それと情報伝送路を確立する地上局などでＧＰＳ信号などから現在位置Ｂ２を算出し、現在位置Ｂ１と現在位置Ｂ２のズレの傾向などのズレ量を算出し、このズレ量を補正データに含めて携帯型情報装置６へ無線発信局から送信し、携帯型情報装置６が受信したＧＰＳ信号を用いて算出した誤差ある現在位置Ｃ１を、補正データで補正して精度よく現在位置Ｃ２を特定してもよい。現在位置Ｃ２の算出など誤差の補正は、サーバなど外部の装置で行うよう無線電話通信網とインターネットなどの情報伝送路でデータを送信し、補正された位置情報Ｃ２としてのデータを受信するなどしてもよい。ＧＰＳ信号自体のズレ量を含む補正データを受信し、携帯型情報装置６が受信したＧＰＳ信号を補正してから現在位置Ｃ２を算出してもよい。携帯型情報装置６は、ＧＰＳ信号を受信するようＧＰＳ信号受信機能を有すればよい。ＧＰＳ信号受信機能は、例えば、電波を受信するアンテナと、他の電波から目的の周波数帯の電波を分離するフィルタと、電波からＧＰＳ信号を抽出する復調回路などを有するのＧＰＳ信号受信部２ａと、ＧＰＳ信号を識別するプログラムなどを記憶する記憶部と、データをプログラムに従って処理するＣＰＵなどを主に有し、これらを用いてＧＰＳ衛星５０３ａと情報伝送路５０２ａを形成する。位置情報取得手段１１１は、補正データを無線で受信する無線受信部と、補正データを用いてズレ量を補正するプログラムを記憶していてもよい。
【００３８】
図２において、現在位置取得の第２の方法について説明をする。位置があらかじめ明らかな無線の無線発信局５０３ｂからの無線信号により現在位置を取得する方法である。無線発信局５０３ｂは、現在位置を表すデータを記憶していたり、ＧＰＳなどで現在位置を取得していればよい。無線発信局５０３ｂは、ＦＭ局や、携帯電話の基地局や、駅などの発券装置や改札装置や、高速道路のＥＴＣの基地局、ブルートゥースなどの近距離無線通信機能を有する装置であり、無線の発信機能を有する。無線発信局５０３ｂと携帯型情報装置６間の情報伝送路５０２ｂは、電磁波、つまり電波を利用した伝送、特にＦＭ放送網、携帯電話網、近距離無線通信などを利用すればよい。無線信号には、地図における座標データや、地図に現在位置を示したデータや、緯度データ、経度データ、高度データや、都道府県番地などの住所データや、無線発信局５０３ｂからの距離を測長するためのデータや、地図情報や、無線発信局５０３ｂを特定するＩＰアドレスなどの識別番号データや、ＧＰＳ衛星より得る現在位置の補正データなどを含めればよい。携帯型情報装置６は、無線信号を受信する無線信号受信機能を有する必要があり、利用する情報伝送路５０２ｂに対応した構成を有すればよい。無線信号受信機能は、例えば、電波を受信するアンテナ５０１ｂと、他の電波から目的の周波数帯の電波を分離するフィルタと、電波から無線信号を抽出する復調回路と、無線でデータを送受信するためのプログラムや、無線信号を識別して現在位置を取得するプログラムなどを記憶する記憶部と、データをプログラムに従って処理するＣＰＵなどを、主に有し、無線発信局５０３ｂと情報伝送路５０２ｂを確立すればよい。無線発信局５０３ｂが位置情報取得手段１１１、位置情報送信手段１１３、固有情報取得手段１１２の少なくとも一つを有してもよい。現在位置取得の第２の方法は、現在位置の特定の他に、他の方法による現在位置の特定を補正する手段として用いても良い。
【００３９】
図２において、現在位置取得の第３の方法を説明する。位置があらかじめ明らかな固定装置５０３ｃからの信号により現在位置を取得する方法である。固定装置５０３ｃは、現在位置を表すデータを記憶したり、ＧＰＳなどで現在位置を取得していればよい。固定装置５０３ｃは、金融機関などの自動現金支払機や、コンビニエンスストアなどのチケット発売装置や、駅もしくはイベント会場などの発券装置や改札装置、固定電話、店舗などのレジなどであればよい。携帯型情報装置６と固定装置５０３ｃ間の情報伝送路５０２ｃは、電線やコネクタなどを利用する。本明細書では携帯型情報装置６と固定装置５０３ｃ接触して電気的に接続する場合も含める。有線信号は、情報伝送路５０２ｃで電気的に搬送されて、無線信号と同様に、地図における座標データや、地図に現在位置を示したデータや、緯度データや、経度データや、高度データや、都道府県番地などの住所データや、固定装置５０３ｃを特定するＩＰアドレスなどの識別番号データ、地図情報などを含めればよい。識別番号データを利用した現在位置の特定は、管理者や提供者に対して固定装置５０３ｃを設置した場所が明らかである必要があり、例えば、固定装置５０３ｃの設置した場所と識別番号データを対応づけて把握している、またはＧＰＳ信号で固定装置５０３ｃの現在位置を識別番号データで把握している、固定装置５０３ｃを常時情報伝送路を確立していて場所の移動がないことを把握しているなどすればよい。固有装置５０３ｃが、５０３ｂが位置情報取得手段１１１、位置情報送信手段１１３、固有情報取得手段１１２の少なくとも一つを有してもよい。
【００４０】
図２において、第３の方法で利用する携帯型情報装置６は、有線によるデータを受け取る有線信号受信機能を有すればよい。有線信号受信機能は、例えば、コードを接続し有線信号を受信するインターフェース５０３ｃと、携帯型情報装置６と固定装置５０３ｃ間でデータを送受信するプロトコル、もしくは有線信号を識別し現在位置を取得するプログラムなどを記憶する記憶部と、データをプログラムに従って処理するＣＰＵとを有すればよい。携帯型情報装置６を固定装置５０３ｃへ接続すると携帯型情報装置６が現在位置を取得するために利用する有線信号が、固定装置５０３ｃから携帯型情報装置６へ自動的に入力される。他の方法として携帯型情報装置６または固定電話５０３ｃがボタンを有し、ボタンを押すと信号が携帯型情報装置６へ入力されても良い。固定装置５０３ｃがＧＰＳ衛星から得たＧＰＳ信号を記憶する確かな現在位置と比較し、補正する補正データを有線信号５０２ｃとして送信し、携帯型情報装置が受信した補正データで、別に得たＧＰＳ信号を補正して、現在位置を補正して、精度よく得てもよい。現在位置取得の第３の方法は、現在位置の特定の他に、他の方法による現在位置の特定を補正する手段として用いても良い。
【００４１】
図２において、現在位置取得の第４の方法について説明する。内部での現在位置を特定または補正する方法としては、カーナビゲーションシステムなどで一般的に使用される自立航法を利用すればよく、携帯型情報装置６が加速度センサ、角速度センサなどの内部センサを有し、進んだ距離と回転した角度の経時変化を記憶し移動した経路を取得する。このように内部センサを用いて移動した経路を記憶することを自立航法という。カーナビゲーションシステムではＧＰＳと併用して利用されることが多い。主にＧＰＳ信号や無線信号が得られずらいトンネルや建物内でＧＰＳ信号で取得した現在位置を基点に補正したり、垂直方向の位置などを取得するのに利用される。磁力センサを用いて方位を取得して位置情報の取得に使用してもよい。第４の方法で利用する携帯型情報装置６は、このような自立航法機能を有すればよい。自立航法機能は、内部センサと、内部センサの出力信号から経路を計算するプログラムや経路を記憶する記憶部と、データをプログラムに従い処理するＣＰＵとを有すればよい。ＧＰＳ信号の受信がされないと、自立航法による移動した経路を記憶して、現在位置を補正して精度よく得てもよい。現在位置取得の第４の方法は、主に他の方法による現在位置の特定を補正する手段として用いても良い。
【００４２】
図２において、携帯型情報装置６は、位置情報を取得する第１から第４の方法を組み合わせて有し、それぞれを組み合わせて用いて、より精度よく現在位置を取得してもよい。本例では、ＧＰＳ衛星より得るＧＰＳ信号を、無線発信局５０３ｂとして携帯電話の基地局からの補正データである補正信号により補正して、精密な現在位置を特定し、１００ｍ以内の精度で現在位置を取得する。本例の位置情報取得手段１１１は、ＧＰＳ信号受信機能を有し、ＧＰＳ信号により現在位置を特定する。また、無線信号受信機能を有し、現在位置を補正して、精度よく特定する。携帯型情報装置６は、地図情報を無線発信局５０３ｂなどから受信または記憶し、現在位置を表示してもよい。
【００４３】
図１を中心に本例の使用方法について説明する。使用者１３１はデパート内部の店舗を取材する。使用者１３１が外出先に携帯型情報装置６と画像取得装置７を携帯する。使用者１３１は、画像を取得することを予想し、携帯型情報装置６に情報処理装置１に接続する。使用者１３１は、デパートの建物の入り口で、情報処理装置１の備える一つの入力ボタンを押すなどして、位置情報ａ１を取得する。位置取得は、位置情報取得手段１１１にて現在位置を特定して位置情報ａ１を取得する。位置情報を取得する前後に使用者１３１が携帯型情報装置６を操作して、文字列ｄ１を「○○デパート」と入力して、位置情報ａ１と関係つけてもよい。この時、文字列ｄ１は固有情報Ａ１を構成する一部でもよい。これにより画像情報の取得場所にて記録した文字列によりどのような画像か記憶を呼び起こしやすくなったり、文字列で検索する手段を設けられて使用者１３１の利便性が向上する。また、位置情報ａ１を取得した時刻を固有情報として固有情報取得手段１１２より取得しても良いが、本例では使用しなくてもよい。携帯型情報装置６は、位置情報ａ１取得後、位置情報送信手段１１３にて位置情報ａ１を情報処理装置１へ情報伝送路８にて送信する。
【００４４】
図１において、情報処理装置１の位置情報受信手段１０１にて位置情報ａ１を受信し、記憶手段２にて記憶すると同時に、固有情報取得手段１０２にて位置情報ａ１を記憶した時刻を取得して固有情報Ａ１とする。位置情報ａ１と固有情報Ａ１を関係付けて記憶する。文字列ｄ１も同時に記憶されていてもよい。関係付けてとは、データベースにある属性で記憶すればよい。各情報をリンクさせたり、行または列が同じであったり、同じ符号を付加したりすればよい。本例では、時刻情報Ａ１に位置情報ａ１を従属させ、使用者１３１のＩＤ番号で管理して記憶する。同様に位置情報が送信されてきた場合、順次記憶手段２にて記憶して行けばよい。ただし、複数の使用者１３１が共有して情報処理装置１を利用する場合は、認証機器や認証番号やユーザ番号やパスワードなどで使用者１３１を特定して、使用者１３１の記憶領域に情報を蓄積していけばよい。例えば、データベースに格納される情報は、使用者１３１に割り当てられたＩＤ番号などで管理されればよい。認証装置の販売や認証装置にて認証を行うシステムの維持管理料を徴収してもよい。
【００４５】
図１において、使用者１３１は、携帯型情報装置６を操作して、情報処理装置１へ位置情報ａ１と固有情報Ａ１を記憶した後、画像処理装置７のシャッタを押すことで、画像取得手段１２１にて画像情報ｂ１を取得する。例えば、デパートの入り口などを撮影すれば良い。さらに、固有情報取得手段１２２にて、自動的に画像情報ｂ１を取得した時刻として固有情報Ｂ１が取得され、画像情報ｂ１と固有情報Ｂ１は関係付けて画像情報記憶手段１２３にて半導体記憶媒体へ記憶される。画像情報ｂ１はＪＰＥＧ形式のファイルとして、固有情報Ｂ１は画像情報ｂ１の作成した時間などとして画像情報ｂ１の属性情報として記憶される。同様に固有情報Ｂ２、画像情報ｂ２を記憶してよい。
【００４６】
一方、使用者１３１が、建物内部へ入り、希望の店舗で、携帯型情報装置６を操作して、位置情報を取得しないよう設定し、ボタンを押すと、情報処理装置１の固有情報取得手段１０２が動作して、時刻情報として固有情報Ａ２を取得して、さらに携帯型情報装置６から情報処理装置１へ送信されて、記憶手段２にて固有情報Ａ１と同様に記憶する。この時、携帯型情報装置６を操作して文字列ｄ２として「××店」を入力して、固有情報Ａ２へ情報処理装置１へ送信してもよい。さらに、使用者１３１は、画像取得装置７を操作して画像情報ｂ３と、取得した時刻を固有情報Ｂ３として記憶する。また、別の場所へ移り、画像情報ｂ４および固有情報Ｂ４を取得して画像取得装置内に保持するが、位置情報ａ３および固有情報Ａ３は携帯型情報装置６により取得されるとともに、まもなく送信される。まもなく送信するとは、携帯型情報装置６のプログラムの動作や、情報処理装置１への接続作業、使用者が文字列を入力したり、あらかじめ設定した数件の位置情報が蓄積される間でよい。
【００４７】
図１において、自宅に帰宅して、画像情報送信手段１２４として、ＵＳＢ線を画像取得装置７と情報処理装置１とに接続して、ファイルを転送すると画像情報受信手段３にて受信される。この時、情報処理装置１内にて画像情報ｂ１と固有情報Ｂ１は一旦記憶されてもよい。使用者１３１が、記憶手段２に記憶される固有情報と、画像情報受信手段３にて受信した固有情報を比較して、位置情報を基に画像情報を分類するための方法を設定する。本例では、記憶手段２に記憶する固有情報を時刻順に並べ、固有情報Ａ１、固有情報Ａ２のように並べる。さらに、位置情報を特定しない固有情報Ａ１を抽出して、時刻が前の固有情報Ａ１が特定する位置情報ａ１を固有情報Ａ２に関係つける。さらに、画像情報受信手段３にて受信した固有情報を加えて、時刻順に並べ固有情報Ａ１、固有情報Ｂ１、固有情報Ａ２、固有情報Ｂ２のように並べる。さらに、固有情報Ａ１から固有情報Ａ２までの時刻の間に存在する固有情報Ｂ１を固有情報Ａ１へ従属させて分類する。このようにして、固有情報Ｂ１にて特定される画像情報ｂ１と、固有情報Ａ１にて特定される位置情報ａ１は関係付けられ、情報記憶手段５で記憶される。同様に、固有情報Ｂ２は時刻的に早い固有情報Ａ２へ従属させて分類され、固有情報Ｂ２に特定される画像情報ｂ２と、固有情報Ａ２にて特定される位置情報Ａ１は関係付けられ、情報記憶手段５で記憶される。
【００４８】
図４（ａ）は、記憶手段２の記憶内容を閲覧した時の、情報処理装置１の表示画面２０２である。使用者１３１は表示画面２０２を閲覧しながら操作してもよい。自動的に処理手段４をおこなうならば表示しなくてもよい。画面の分類設定で分類方法を設定すればよい。分類元フォルダは、ＵＳＢ線で接続された画像情報ｂ１と固有情報Ｂ１が記憶される画像取得装置７の半導体記憶媒体を設定すればよい。ファイル方式は、画像情報ｂが圧縮されて記憶された方法を選べばよい。
【００４９】
図４（ｂ）は、処理手段４にて分類されて、画像情報ｂ１、固有情報Ｂ１、画像情報ｂ２、固有情報Ｂ２、位置情報ａ１、文字列ｄ１、さらに固有情報Ａ１が関係付けられて記憶装置に記憶されたものを、閲覧した時に示される情報処理装置１の表示画面例である。３０１は、画像情報ｂ１を表示装置へ表示した画像である。画像の下には固有情報Ｂ１が表示してもよい。画像を選択すると拡大されてもよい。複数の画像は、位置情報ａ１で特定される位置にて撮影されたことを示している。メモは、携帯型情報装置６にて文字列ｄ１を表示すればよい。時刻３０３の月と日と時は、固有情報Ａ１である。地図３０２は、選択すると、図５（ｃ）の画面が表示されてもよい。
【００５０】
図５（ｃ）は、位置情報ａ１の有する緯度と経度を用いて特定される、例えば四方１ｋｍの、地図情報を情報処理装置１がＣＤ−ＲＯＭまたはインターネットで接続する地図情報配信用のサーバーなどから取得して、表示してもよい。３０６は、建物などのランドマークなどであり、他に「銀行」や「下富」などのように、目印、住所、地名などを記載している。撮影した場所は印３０５などで、使用者１３１や閲覧者がわかるように表示されればよい。
【００５１】
図５（ｄ）は、使用者１３１が処理手段４の分類にて、自動で行った位置情報と画像情報の関係付けを修正する時に閲覧する、情報記憶手段５情報処理装置１の表示画面２０２である。閲覧画面３０８が位置情報をリスト状に表示している。１行が位置情報の情報を表示しており、閲覧画面３０９とリンクしていればよい。閲覧画面３０９は閲覧画面３０８の行のうち一番上の「１月１３日　１時１３分　○○デパート」にリンクしており、この行をクリックすると、表示されても良い。この時、閲覧画面３０９の「１月１３日　３時２０分　０００３」が「１月１３日　１時１３分　○○デパート」欄の情報に関係付けられるが、使用者１３１が判断して時間的に閲覧画面３０８の「１月１３日　３時１５分　××店」に関係付けるのが妥当と判断するとマウスにて移動して従属を変更して記録しなおしてもよい。移動印３０７は、従属の変更中を示す。また、画像情報ｂ３、位置情報ａ１、固有情報Ｂ３、おようび文字列ｄ２は、固有情報Ａ２に従属されているため、図４（ｂ）の時刻３０３、画像３０１を含む画像、固有情報ｂ１を含む画像の時刻は、異なる情報が表示される。しかし、同一の位置情報ａ１を有するので、図５（ｃ）のようにほぼ同じ地図情報が表示されればよい。
【００５２】
（実施例２）　図３は、本例の位置情報利用システムで利用する装置の構成例である。使用者１３１が外出先で操作する携帯電話６１と、使用者１３１が外出先で操作するデジタルカメラ７１と、これらに接続して、情報を得る情報処理装置とからなる。図３における情報処理装置は、提供者が操作するサーバー１１ａと記憶装置１１ｂとＬＡＮ１１ｃと、使用者１３１が操作するコンピュータ１１ｄと、インターネット１０を介する情報伝送路１１ｅとから構成されるシステムであり、図１の情報処理装置１に相当する。携帯電話６１は、図１の携帯型情報装置１に相当してＧＰＳ信号受信装置を有して、ＧＰＳ衛星５０３ａから情報伝送路５０２ａを介してＧＰＳ信号を得て、現在位置の緯度と経度を算出して位置情報ｅを得る。さらに、携帯電話６１は、時計装置を有して位置情報ｅを取得した時刻を固有情報Ｅとして取得する。さらに、携帯電話６１は、ＣＰＵ、記憶装置、時計装置、入力用ボタン、無線電話用送受信装置、液晶表示装置、さらにこれら構成を接続するシステムバスなどを有する。固有情報Ｅは、基地局８１ｂにて取得してもよいが、この場合、情報処理装置１は、固有情報取得手段１０２を有する基地局８１ｂ、無線電話通信網８１ｃ、さらに情報伝送路８１ｄを有してよく、図１の情報伝送路８は無線の情報伝送路８１ａに相当することとなる。
【００５３】
図３において、無線の情報伝送路８１ａと、基地局８１ｂと、無線電話通信網８１ｃと、インターネット１０を介した情報伝送路８１ｄとから構成される情報伝送路が、図１の情報伝送路８を主に構成し、位置情報ｅと固有情報Ｅは携帯電話６１からサーバー１１ａへ送信される。デジタルカメラ７１は、図１の画像取得装置７に相当して、ＣＣＤカメラを有して画像情報ｆを取得して、時計装置を有して画像情報を取得した時刻を固有情報Ｆとして取得する、その他に本例では、ＣＰＵ、モデム、ＵＳＢインターフェース、入力装置、モニター、記憶装置と、これらの構成を接続するシステムバスなどでを有する。ＵＳＢ線９１ａを、図１の情報伝送路９を主に構成し、画像情報ｆと固有情報Ｆは、デジタルカメラ７１からコンピュータ１１ｄへ送信される。コンピュータ１１ｄは、ＩＰ電話、家庭用のサーバーやモデム、ＰＤＡなどで、本例では、ＣＰＵ、モデム、ＵＳＢインターフェース、キーボード、モニター、記憶装置、さらにこれらの構成を接続するシステムバスなどを有する。コンピュータ１１ｄは、図１の受信手段３と処理手段４を有する。
【００５４】
図３において、サーバー１１ａは、位置情報受信手段１０１と、時刻情報取得手段１０２とを有し、本例では、ＣＰＵ、記憶装置、モデム、ＬＡＮインターフェース、時計装置、さらに、これらの構成を接続するシステムバスなどを有する。記憶装置１１ｂは、記憶装置を備え、これは、図１の記憶手段２と、情報記憶手段５を有し、格納するデータベースに固有情報Ｅと位置情報ｅを記憶し、さらに本例では、ＣＰＵ、ＬＡＮインターフェース、キーボード、モニター、記憶装置、さらにこれらの構成を接続するシステムバスなどを有する。記憶装置１１ｂの格納するデータベースは、使用者１３１が提供者と契約して、使用を許可されていて、コンピュータ１１ｄより、個人コードや識別番号を入力したり、専用アダプタなどで使用者１３１の利用を許可する個人認証、さらにサーバー１１ａへの自動接続などをおこなってもよく、手間を省いて利便性よく、さらに使用者１３１の匿名性を向上して安全に使用者１３１が位置利用システムを利用できる。
【００５５】
図１に示すそれぞれの手段において、図３に示す各装置や各構成や各機能などを動作するプログラムは、本例では、ＪＡＶＡ（登録商標）を利用し、Ｗｉｎｄｏｗｓ（登録商標）や、Ｍａｃ　ＯＳ（登録商標）や、Ｌｉｎｕｘなどの各種プラットフォームで利用できるようにした。これにより数種類の装置間で位置情報利用システムを効率よく運用し、管理できる。他のＣ＋＋、Ｖｉｓｕａｌ　Ｂａｓｉｃ（登録商標）など各種プログラム言語を用いても、各装置が相互にデータをやり取りして動作すればよい。コンピュータ１１ｄなどは、位置情報利用システムで必要とするプログラムをインターネットを用いて必要の際に受信して用いてもよい。
【００５６】
本例を図１と図３を用いて説明する。携帯電話６１は、使用者１３１が入力装置２０１にて動作開始の入力をおこなうと定期的に位置情報取得手段１１１と固有情報取得手段１１２と位置情報送信手段１１３が動作され繰り返される。位置情報取得手段１１１にてＧＰＳ信号受信装置が動作して受信したＧＰＳ信号から現在位置を算出して特定し、位置情報ｅを取得する。同時に固有情報取得手段１１２にて時計装置から出力される出力信号を読取り、固有情報Ｅを取得する。この時の位置情報ｅは、緯度と経度の組み合わせであり、固有情報Ｅは、日と時と分の組み合わせである。この時、年や秒を有してもよい。さらに、取得された位置情報ｅと固有情報Ｅは、位置情報送信手段１１３にて無線電話用送受信装置が動作されてパケット通信にて送信され、無線電話情報伝送路８１ａと基地局８１ｂと無線電話通信網８１ｃと情報伝送路８１ｄとを介して、位置情報受信手段１０１にてサーバー１１ａのモデムが動作されて受信する。さらに記憶手段２にてＬＡＮ１１ｃを介して送信して記憶装置１１ｂの記憶装置を動作して固有情報Ｅと位置情報ｅ、または固有情報Ｅ’のみを記憶する。本例では、取得する固有情報Ｅと位置情報ｅの組み合わせ、または固有情報Ｅ’の例として、固有情報Ｅ１と位置情報ｅ１を記憶し、１分後に固有情報Ｅ２のみを記憶し、２分後に固有情報Ｅ３と位置情報ｅ３を受信して記憶する。
【００５７】
図１と図３において、携帯電話６１からサーバー１１ａに接続し、ログオンして、使用者１３１が利用を許可されている記憶領域に固有情報Ｅまたは位置情報ｅを記憶する。他の例としては、株式会社アイディーエスのＭＩＴＳを用いて携帯電話６１に使用者１３１専用の識別番号を入力してサーバー１１ａと接続してから位置取得手段１１１と固有情報取得手段１１２が動作してもよい。携帯電話６１に使用者１３１専用のアダプタを接続するとサーバー１１ａと接続してから位置取得手段１１１と固有情報取得手段１１２が動作してもよい。アダプタは、イーシステム株式会社のクイックアクセス・サービスの専用アダプタや、Ｍａｒｘ　Ｓｏｆｔｏｗａｒｅ　Ｓｅｃｕｒｉｔｙ（ｗｗｗ．ｍａｒｘ．ｃｏｍ）のキーホルダータイプの専用アダプタなどを利用してもよい。記憶領域を使用者１３１へ提供する役務は、情報を保管する役務として、ＮＴＴ−ＭＥ株式会社などが提供している（日本経済新聞社　２００２年１月２９日　朝刊　３１頁　サービス最前線）。この使用者１３１が利用を許可されるＩＤやパスワードの入力、またはサイトへの接続を、アダプタを用いて行えば、利便性が高い位置情報利用システムを提供できる。
【００５８】
図１と図３において、使用者１３１がデジタルカメラ７１の入力装置を押し、画像取得手段１２１にてＣＣＤカメラを動作して画像情報ｆを取得するとともに、時計装置から時刻情報を読取り固有情報Ｆとして取得する。画像情報ｆと固有情報Ｆは複数組を取得してよく、さらに画像情報記憶手段１２３にて記憶装置を動作して記憶される。本例では、画像情報ｆと固有情報Ｆの組み合わせの例として、画像情報ｆ１と固有情報Ｆ１、画像情報ｆ２と固有情報Ｆ２、画像情報ｆ３と固有情報Ｆ３、さらに画像情報ｆ４と固有情報Ｆ４を取得する。
【００５９】
図１と図３において、使用者１３１が帰宅後に、コンピュータ１１ｄを操作して、サーバー１１ａとインターネット１０を介して接続する。コンピュータ１１ｄは、サーバー１１ａより固有情報Ｅ１、位置情報ｅ１、固有情報Ｅ２、固有情報Ｅ３、位置情報ｅ３を取得する。サーバー１１ａは、使用者１３１にＩＤとパスワードを入力させたり、ＩＣカードを利用して認証情報を確認したり、バイオメトリを利用して個人情報を確認したりして、個人認証してからコンピュータ１１ｄへの情報の送信をおこなってもよい。
【００６０】
さらに、使用者１３１はデジタルカメラ７１をコンピュータ１１ｄとＵＳＢ線９１ａを介して接続して、画像情報ｆ１と固有情報Ｆ１、画像情報ｆ２と固有情報Ｆ２、画像情報ｆ３と固有情報Ｆ３、さらに画像情報ｆ４と固有情報Ｆ４を画像情報送信手段１２４にて情報伝送路９を用いてコンピュータ１１ｄへ送信する。デジタルカメラ７１をコンピュータへ接続すると自動的に固有情報Ｅと位置情報ｅをサーバー１１ａより取得してもよい。
【００６１】
図３において、コンピュータ１１ｄは処理手段４にて、固有情報Ｅ１、位置情報ｅ１、固有情報Ｅ２、固有情報Ｅ３、位置情報ｅ３を処理して、例えば、位置情報ｅを特定しない固有情報Ｅ２を検出し、時刻順にて直前の固有情報Ｅ１が特定する位置情報ｅ１を固有情報Ｅ２と関係付ける。つまり、固有情報Ｅ１と位置情報ｅ１、固有情報Ｅ２と位置情報ｅ１、さらに固有情報Ｅ３と位置情報ｅ３が、コンピュータ１１ｄの記憶装置に記憶されるなどする。
【００６２】
さらに、固有情報Ｅ１と位置情報ｅ１、固有情報Ｅ２と位置情報ｅ１、固有情報Ｅ３と位置情報ｅ３、画像情報ｆ１と固有情報Ｆ１、画像情報ｆ２と固有情報Ｆ２、画像情報ｆ３、さらに画像情報ｆ４と固有情報Ｆ４を比較して、固有情報Ｅ１と位置情報ｅ１と固有情報Ｆ１と画像情報ｆ１と画像情報ｆ２と固有情報Ｆ２、固有情報Ｅ２と位置情報ｅ２と固有情報Ｆ３と画像情報ｆ３、さらに固有情報Ｅ３と位置情報ｅ３と固有情報Ｆ４と画像情報ｆ４をそれぞれ関係付ける。また、処理手段４にて関係付けた情報を、情報記憶手段５にて記憶装置へ記憶する。
【００６３】
（実施例３）　図６は、使用者１３１が操作する携帯電話６２、情報処理装置１２、情報伝送路８２とを有する。さらに、サーバー６０１と情報伝送路４０２を備える。本例の携帯電話６２は、図１の携帯型情報装置６と図１の画像取得装置７が一体である場合、または、無線もしくは有線などで接続されている場合を示す。本例では、デジタルカメラ付き携帯電話で、現在位置も基地局との三点測量、またはＧＰＳなどで取得すればよい。携帯電話６２は、固有情報取得手段４０１を有し、使用者１３１が画像取得を希望して入力すると、画像取得手段１２１にて画像情報ｈ１を取得すればよい。次に、固有情報取得手段４０１にて固有情報Ｇ１を取得して、画像情報ｈ１に固有情報Ｇ１を添付し画像情報記憶手段１２３にて記憶すればよい。同時に、使用者１３１が携帯電話６２を操作するなどして位置情報取得手段１１１にて位置情報ｇ１を取得して、位置情報ｇ１に固有情報Ｇ１を添付して、位置情報送信手段１１３にて、情報処理装置１２へ情報伝送路８２を介して、送信する。
【００６４】
図６において、それぞれ同一の固有情報Ｇ１を添付された画像情報ｈ１と位置情報ｇ１は、それぞれ別に情報処理装置１２へ送信し、記憶手段２にて記憶する。これにより、主に使用者１３１または画像に写る者の位置情報に代表される個人情報が伴に流出することを防ぐ。携帯電話６２に位置情報を取得する設定がなされると、画像情報ｈ１が取得されると自動的に位置情報ｇ１および固有情報Ｇ１も取得されてもよく、この時は位置情報が取得されない設定だと、画像情報ｈ１が取得されると自動的に固有情報Ｇ１が取得され、位置情報ｇ１は取得されない。このような設定手段を有することにより、情報処理装置１には位置情報を特定する、または特定しないを判別することを、記憶手段２または処理手段４にておこなう必要がある。本例では処理手段４に、固有情報が位置情報を特定する、位置情報を特定しないを判別することで、使用者１３１が、位置情報と画像情報の分類方法を選択して、まとめて処理するようにして利便性を確保する。
【００６５】
図６において、ほぼ近くの位置にて画像を連続して得る場合など、逐一位置を取得して、携帯電話６２の電源の消費を押さえ、さらに使用者１３１が位置情報取得中に携帯電話６２を保持し続ける手間をなくし、利便性を向上する。画像情報ｈ２を取得する際、使用者１３１は、画像情報ｈ１とほぼ同位置で取得するため、位置情報取得手段１１１を動作させず、固有情報Ｇ２を位置情報送信手段１１３にて、情報処理装置１２へ送信して、記憶手段２にて記憶する。画像情報ｇ２に固有情報Ｇ２を添付し画像情報記憶手段１２３にて記憶する。画像情報ｈ１と画像情報ｈ２は、例えば印刷を外注企業に発注する場合に、画像情報送信手段１２３にて、印刷する外注企業のサーバー６０１、または使用者１３１の自宅の情報処理装置１２へ送信する。送信先は、外注業者でなく友人などの個人のコンピュータなどでもよい。
【００６６】
記憶手段２にて記憶された固有情報Ｇ１と位置情報ｇ１、さらに固有情報Ｇ２は、処理手段４により、固有情報Ｇ１と固有情報Ｇ２を処理し、位置情報ｇ１を特定しない固有情報Ｇ２を検出し、例えば連番で言う番号が一つ前の固有情報Ｇ１が特定する位置情報Ｇ２と固有情報Ｇ２を関係付ける。この時、使用者１３１の操作により、処理方法を選択して連番の番号が一つ後ろの固有番号Ｇ３が記憶手段２にて記憶されている場合、固有情報Ｇ３にて特定される位置情報ｇ３と固有情報Ｇ２を関係付けてもよい。
【００６７】
図６において、サーバー６０１は、受信手段６０２にて画像情報ｇ１と固有情報Ｇ１、さらに画像情報ｇ２と固有情報Ｇ２を受信した後に印刷する。使用者１３１は、自宅で固有情報Ｇ１が記載された画像情報ｇ１と、固有情報Ｇ２が記載された画像情報ｇ２の印刷物を外注会社より宅配などで受け取ればよい。次に、使用者１３１は印刷物に記載された固有情報Ｇ１を情報処理装置１２へ入力すると、記憶する複数の固有情報から固有情報Ｇ１を検索して、位置情報ｇ１を特定して表示する。これにより、印刷物に記載された画像情報ｇ１を取得した場所を使用者１３１が利便性よく閲覧する。さらに、情報処理装置１２は、特定した位置情報ｇ１から撮影した場所の付近の地図情報や地域情報を得てもよい。さらに、使用者１３１は印刷物に記載された固有情報Ｇ２を情報処理装置１２へ入力すると、位置情報ｇ１を特定して表示する。
【００６８】
これらは、高速な通信機能を搭載したデジタルカメラでも同様な役務を提供するのが可能である。しかし、本発明では、位置情報と画像情報を別々に送信しても、後にそれぞれを特定することができ、例え印刷物にしても特定でき、使用者１３１の安全性と利便性を向上する。図７は、印刷物の構成例である。画像情報ｇの静止画が印刷されている。さらに、固有情報Ｇとして時刻情報７０２が記載されている。固有情報Ｇは、日付と連続番号、連続番号、バーコード情報でもよい。使用者１３１は固有情報Ｇを情報処理装置１２へ入力すると、取得した位置が地図上にて表示されればよい。
【００６９】
（実施例４）　図３を用いた、その他の位置情報利用システムの説明をする。本例の位置情報利用システムは、使用者１３１が外出先などでデジタルカメラ７１で取得した画像を、後で本システムが効率よく、いつ、どこで取得したかで分類し、さらに閲覧させる。「いつ」と「どこ」に関する情報は、特に両方揃うと重要な個人情報となりやすく、使用者１３１の安全性を向上するのため、位置情報を蓄積したら情報処理装置へ情報伝送路を介して送信して、携帯電話６１には位置情報を、可能な限り格納しておかないようにしてもよい。「いつ」の情報は時刻情報などであり、「どこ」の情報は緯度と経度などの位置情報である。位置情報は、緯度と経度であると地図を表示する際に特定の一点を明らかにして表示しやすい。また、位置情報は、地名、住所、ランドマーク、または施設名称などであると、使用者１３１には理解しやすく利便性よいが、緯度と経度から地名などを特定するプログラムを携帯電話６１、サーバー１１ａ、またはコンピュータ１１ｄなどに備える必要がある。
【００７０】
図３において、携帯電話６１を用いて位置情報を取得して、都合のよい機会にサーバー１１ａへ情報伝送路を介して送信するようにして、携帯電話６１には位置情報を格納しておかないようにしてもよい。都合のよい機会は、通信費や、安全性を考慮して判断すればよく、提供者が携帯電話６１またはサーバー１１ａであらかじめ設定ておいたり、使用者１３１が携帯電話６１またはコンピュータ１１ｄを用いて設定すればよい。都合のよい機会とは、携帯電話６１が位置情報を取得するのを開始して一定の時間、使用者１３１が携帯電話６１のボタンを押すことに、または位置情報の件数などで設定されればよい。一定の時間は、携帯電話６１、またはサーバー１１ａに備えるカウンタを用いて計ればよい。携帯電話６１からサーバ１１ａへの情報伝送路は、例えば携帯電話６１の無線電話通信網８１ｃまたは無線ＬＡＮ通信網など、一般的に利用される情報伝送路を利用すればよく、携帯電話６１で取得した位置情報を、使用者１３１および提供者に利便性ある機会に位置情報をサーバー１１ａへ送信することができればよい。
【００７１】
図３において、使用者１３１の位置情報を利便性ある機会に記憶装置１１ｂに記憶することから、安全に画像に関する位置情報を使用者１３１または使用者１３１が希望する者へ提供することができる。例えば、画像はメールなどで送信するが、位置情報は、使用者１３１が希望する者を特定する情報をサーバー１１ａへ入力しないと記憶装置１１ｂから取り出せないようにしてもよい。記憶装置１１ｂより使用者１３１の位置情報を取り出しても、使用者１３１が希望する者を特定する情報を、使用者１３１が希望する者が使用する機器が有さないと、暗号の復号ができず、位置情報を得られなくしてもよい。使用者１３１が希望する者とは、位置情報を共有したいと考える者などであり、本システムを用いる事で、第三者へ画像情報と位置情報を同時に流出する事を防止できる。例えば、第三者へ自分の顔と、自宅の位置などが流出することを防止する。使用者１３１が希望する者を特定する情報とは、パスワード、ニックネーム、アドレス、またはサーバー１１ａと情報伝送路を確保して位置情報を記憶装置１１ｂから取り出す機器の製造番号などであればよく、安全性と利便性により用いる情報を決めればよい。また、提供者が現在いる位置による利便性ある情報を使用者１３１へ提供して、他のシステムと連動して利便性を向上させてもよく、必要に応じて、これらの情報をあらかじめ使用者１３１が設定しておく必要がある。他のシステムとは位置情報により広告するシステム、特定位置へ誘導するシステム、または割引クーポンなどを送信するシステムなどである。
【００７２】
システムの構成例としては、図３のように、使用者１３１が外出先などで携帯して利用する携帯電話６１とデジタルカメラ７１、さらに使用者１３１が自宅や会社などで利用するコンピュータ１１ｄ、さらに通信会社または提供者が使用者１３１との契約で提供する基地局８１ｂと無線電話通信網８１ｃ、さらに提供者が使用者１３１との契約で提供するサーバー１１ａと記憶装置１１ｂとＬＡＮ１１ｃを備えればよい。さらに、インターネット１０を介して、本例の位置情報利用システムは、携帯電話６１とサーバー１１ａ間の情報の送受信、およびコンピュータ１１ｄとサーバー１１ａ間の情報の送受信をおこなえばよい。本例の情報伝送路は、インターネット１０、インターネット１０からコンピュータ１１ｄ間の情報伝送路などは、専用の情報伝送路を用いてもよいが、通信速度と通信費用と安全性を考えて選択すればよい。
【００７３】
携帯電話６１は、使用者１３１が保持する図１における携帯型情報装置１であり、本例ではＧＰＳ携帯電話であればよい。その他の装置でも、使用者１３１の必要とする精度の位置情報を後に断定できる情報を取得でき、サーバー１１ａへ位置情報を送信する装置であればよい。携帯電話６１はＧＰＳ衛星５０１ａから得る信号を携帯電話６１から携帯電話会社の位置算出サーバー（図示せず）へ送信して位置算出サーバー側で補正、位置情報Ｊ１を算出する。本例では、位置情報Ｊ１は緯度と経度のデータであり、位置情報Ｊ１は位置算出サーバーから携帯電話６１を経由してサーバー１１ａへ送信される。
【００７４】
情報伝送路の例としては位置算出サーバーからインターネット１０、無線電話通信網８１ｃ、基地局８１ｂ、次に携帯電話６１へ位置情報Ｊ１は送信される。携帯電話６１を経由してサーバー１１ａへ位置情報Ｊ１を送信することで、携帯電話６１に格納された暗号システムおよび製造番号などを用いて位置情報利用システムの隠蔽性を確保し安全性を向上させてもよい。その他の位置情報Ｊを送信する情報伝送路の例としては、位置算出サーバーからサーバー１１ａへインターネット１０を介して送信される情報伝送路もよく、通信費は携帯電話６１を経由するより削減できて使用者１３１に利便性があるが、位置算出サーバーにサーバー１１ａへ送るためのＩＰアドレスなどをあらかじめ設定したり、サーバー１１ａが位置算出サーバーへ接続する手段があればよい。携帯型情報装置６１は、カーナビゲーションのように使用者１３１の外出先の位置を特定できる装置でもよい。ただし、カーナビゲーションでも、携帯電話６１と同様に無線の情報伝送路などでサーバー１１ａ及び記憶装置１１ｂに接続して位置情報を記憶する必要がある。
【００７５】
デジタルカメラ７１は、画像取得装置であり、本例の位置利用システムを用いる事で、デジタルカメラ７１に携帯電話６１や、無線ＬＡＮなどの通信装置を格納する必要なく、使用者１３１がデジタルカメラ７１を有することで通信会社と契約を結んだり、高画質の画像を通信するのに時間がかかったり、デジタルカメラ７１の消費電力を抑えて使用者１３１の利便性を確保する。デジタルカメラ７１は、ビデオカメラでもよい。動画の場合は、コンピュータ１１ｄに動画情報を送信して、コンピュータ１１ｄにて、「いつ」と「どこ」の情報で分離して分類してもよい。
【００７６】
デジタルカメラ７１は、ＰＤＡなどの画像以外の情報を取得する装置でもよい。その際は、ＰＤＡに入力した文字情報を記憶した時刻などを固有情報として記憶しておくと、後にコンピュータ１１ｄへ送信して「いつ」と「どこ」で入力した文字情報かを明らかにすることができる。
【００７７】
図３において、本システムは、提供者が主に管理するサーバー１１ａと情報伝送路１１ｃと記憶装置１１ｂ、さらに複数の使用者１３１が個々に管理するコンピュータ１１ｄ、さらにコンピュータ１１ｄとサーバー１１ｂで情報を伝達するインターネット１０を有する。提供者は、使用者１３１の位置情報を保管する事や、位置情報を利用したゲームで収入をえる者でもよい。位置情報を利用した広告などを広告依頼者か収入を得る者でもよい。
【００７８】
位置情報は、使用者１３１ごとに記憶するようデータベースで管理されていればよい。本例では記憶装置１１ｂがデータベースを有すればよい。また、使用者１３１が組織の場合、所属する社員、会員、契約者ごとに位置情報はデータベースで管理されていればよい。記憶容量に余裕があり、利用する使用者１３１の数が限られている場合、サーバー１１ａに記憶装置１１を格納してもよい。
【００７９】
情報処理装置１１は、携帯電話６１と情報を送受信するため、携帯電話６１と情報伝送路を確立するインターフェース、携帯電話６１から送信される位置情報を受信するインターフェース、使用者１３１を特定する情報を受信するインターフェース、携帯電話６１から送信される文字情報および音声情報など位置情報に関係する情報を受信するインターフェースを有する。情報処理装置１１が位置情報Ｊの受信に成功または失敗した事を携帯電話６１へ伝えるインターフェース、位置情報Ｊを携帯電話６１の画面にて使用者１３１が確認および修正するために、地図情報や操作情報を送受信するインターフェースなどを有すると利便性がよい。本例ではサーバー１１ａにこれらインターフェース、さらにファイアウオールなどの機能を格納した。位置利用システムの情報を扱うために提供者が携帯電話にインストールするプログラムを提供してもよいし、携帯電話６１のブラウザで動作するプログラムとしてサーバー１１ａに格納しておいてもよい。
【００８０】
コンピュータ１１ｄは、デジタルカメラから無線または有線または接触などにより、情報伝送路の確立を認識すると、自動的に位置情報ｊ１と時刻情報Ｊ１を記憶装置１１ｂよりダウンロードする。次に画像情報ｋ１と画像情報ｋ１を特定する時刻情報Ｋ１をダウンロードして、処理手段にて時刻情報Ｊ１と時刻情報Ｋ１を比較して分類して、時刻情報Ｊ１に位置情報ｊ１と画像情報ｋ１を従属させる事で、画像情報ｋ１と位置情報ｊ１を関係付ける。
【００８１】
図８は、位置情報と画像情報を関係づけるための、分類方法の例である。分類方法とは、処理手段４にておこなわれる、画像情報と位置情報と固有情報がどのようにまとめられるかの過程であり、例を示す。処理手段４は、画像情報は時刻情報にて「いつ」で分類後に、位置情報にて「どこ」で分類されてもよい。処理手段４の後に、階層で表示する方法は、時刻情報による分類は、年、月、日、時、分、秒、番号、使用者１３１が設定した時刻範囲、使用者１３１が設定した時間範囲など閲覧しやすいものを選択すればよく、データベースにて管理される情報を表示するのは容易である。位置情報にて分類する方法としては、図８のように主に３つの分類方法が挙げられ、画像情報を位置情報にて分類する。図８（ａ）で示す分類方法を説明する。矢印８１０は、固有情報の順番を示す矢印であり、本例のように固有情報が時刻であれば、矢印８１０の方向は新しい時刻の方向であり、矢印は時刻を示す。固有情報が連番であれば、矢印８１０の方向は新しい番号の方向であればよい。矢印８１１は、携帯電話６１が位置情報ｊ１を取得した時刻情報Ｊ１を示す。主に、使用者１３１が携帯電話６１のボタンを押すなどして位置情報を取得する意思を示して、位置情報ｊ１を得た時刻情報Ｊ１であり、時刻情報Ｊ１は位置情報ｊ１を特定するようデーターベースなので記憶されている。使用者１３１による位置情報を取得する意思とは、例えば、使用者１３１が携帯電話６１の位置情報を取得するプログラムを動作する操作をしたり、デジタルカメラ７１の画像を取得するボタンを押すと無線通信などで携帯電話６１へ位置情報を取得するプログラムを動作させる場合などでよい。
【００８２】
矢印８１２は、時刻情報Ｊ２を示し、位置情報を特定しないようデータベースなどで記憶されている。例えば使用者１３１が、ほぼ同じ位置情報ｊ１が得られると予想して、位置情報を取得しない意思で操作したり、または携帯電話６１が位置情報を取得してあらかじめ使用者１３１が設定した範囲内であると判断したりする場合などでよい。また、矢印８１３は、時刻情報Ｊ１と時刻情報Ｊ２における位置から、使用者１３１が移動して位置情報ｊ３を取得する時刻情報Ｊ３を示す。さらに図では、位置情報ｊ４を取得する時刻情報Ｊ４を示す矢印も示している。
【００８３】
図８の（ａ）において、丸印８１４は、デジタルカメラ７１にて画像情報Ｋ１を得た時刻情報ｋ１を示す。さらに、矢印８１１から矢印８１２の間で画像情報ｋ２と時刻情報Ｋ２、つまり２つの画像情報を取得していることを示す。矢印８１２から矢印８１３の間では丸印８１５の示す時刻で画像情報ｋ３と時刻情報Ｋ３を１回取得している。さらに矢印８１３から次の矢印までには、画像情報ｋ４と時刻情報Ｋ４、さらに画像情報ｋ５と時刻情報Ｋ５の２つを取得している。処理手段４における、分類方法として、まず、時刻情報Ｊ１、時刻情報Ｊ２、さらに時刻情報Ｊ３を処理して、位置情報を特定しない時刻情報Ｊ２を検出して、続いて時刻情報Ｊ２に位置情報を関係付ける。本例では、矢印８１０において、矢印８１２を中心に一つ古い時刻であり、かつ位置情報を特定する矢印８１１の時刻情報Ｊ１を検出して、さらに時刻情報Ｊ１が特定する位置情報ｊ１を時刻情報Ｊ２と関係付ける。データベースに時刻情報Ｊ２から位置情報ｊ１を特定するように記憶するなどでよい。
【００８４】
さらに、使用者１３１が利用しやすいように、矢印と丸印のそれぞれの時刻を元に分類する。例えば、分類枠８１６のように、矢印８１１から矢印８１２までに得た３つの画像情報をまとめる。このようにすることで、時刻情報Ｊ１に、位置情報ｊ１、画像情報ｋ１、さらに画像情報ｋ２を従属させるよう分類する。同様に分類枠８１７に入る画像情報ｋ３と、位置情報ｊ１が時刻情報Ｊ２に従属される。時刻情報Ｊｃには位置情報Ｊ３と２つの画像情報が従属される。このように位置情報を取得した時から、次の位置情報を取得する時までの画像情報をひとまとめに分類して従属させる他、位置情報を取得して、前に位置情報を取得するまでの画像情報をひとまとめに分類して従属させてもよい。
また、図８の（ａ）において、位置情報を特定しない矢印８１２の示す時刻情報を記憶手段２にて記憶して、処理手段４にて丸印８１５の時刻に取得した画像情報を、位置情報と関係ない画像情報として分類してもよい。
【００８５】
分類方法の二つ目は、図８（ｂ）のように、位置情報を取得した時刻と次に取得する時刻情報を時間の中間時点を区切りとして分類する方法である。矢印と丸印の意味は図８（ａ）と同様である。まず、位置情報を特定する時刻情報を示す、矢印８２１、矢印８２２、矢印８２４などを検出する。矢印８２１と矢印８２３の時刻の中間時刻８２６を算出し、矢印８２２が中心時刻８２６を中心に矢印８２３側の時刻を示すので、矢印８２３の時刻情報Ｊ１０が特定する位置情報ｊ１０を矢印８２２の示す時刻情報Ｊ９と関係付けて記憶する。
【００８６】
さらに、画像情報を分類する。画像情報は中心時刻８２６より早い時刻は矢印８２１の時刻情報に特定される位置情報に関係付けられ、中心時刻８２６より遅く中心時刻８２７までに存在する、丸印８２９と丸印８３０と丸印８３１は位置情報ｊ１０と関係付けるが、丸印８２９と丸印８３０とで示される時刻に取得した画像情報は、矢印８２２で示される時刻情報Ｊ９と位置情報ｊ１０と関係付けられる。つまり、分類枠８２５へ分類され、丸印８３１と別に分類される。中心時刻８２６と矢印８２２の間に取得された画像情報が存在すれば、時刻情報Ｊｎに関係付けられればよい。また、丸印８３１で示される時刻に取得した画像情報は、矢印８２３で示される時刻情報Ｊ１０に関係付けられて記憶される。また、矢印８２２と矢印８２３の中間の時刻である中間時刻８２５で分類さる。つまり、分類枠８２５に分類された丸印の示す時刻に取得された画像情報と位置情報が、矢印８２２で示される時刻情報に従属されればよい。
【００８７】
図９、図１０、図１１、さらに図１２は、コンピュータ１１ｄの画面の表示方法の例である。位置情報と画像情報を関係付けが完了した後である。本例では、処理手段４後は、位置情報と画像情報と時刻情報が関係付けられているので、図９のように、画面９１０のような階層構造を表示してよい。一つの階層で対象となる情報によりまとめればよい。ボタン９０１を選択すると表示すればよい。ユーザー用とは使用者１３１の利用する階層を示す。年月日の階層９１１、その下の階層として位置情報の階層９１３、その従属として位置情報を取得した時刻情報の階層９１４、その従属として画像情報ｋ１のファイル、画像情報ｋ２のファイル９１５、さらに位置情報ｊ１のファイルなどがあればよい。その他に、携帯電話６１で入力した文字列や音声の情報のファイル、コンピュータ１１ｄで加えた説明情報のファイルが従属されて格納されていてもよい。このように階層で表示する他、図１０のように階層９１３に従属する各種情報が並べて表示されたり、従属する情報を表示するためのボタンを表示したり、図１１のようにカレンダのように、表示してもよい。図１１の９３０は階層９１１と次のに日にちの階層を有する月情報を示している。矢印９３１で前の月のカレンダを表示する。太枠９３２は位置情報や画像情報が格納されている事を示し、格納されていない日は枠９３３のように太枠になっていない。欄を太枠にする代わりに、欄の色を変えたり、形を変形されたり、文字形をかえたり、マウス表示を欄の上に置くと格納されている情報の詳細が表示されてもよい。格納されている情報により欄の色が変化してもよい。
【００８８】
このように、画像情報を取得した時刻情報と位置情報を用いて、画像情報を保管する事で、使用者１３１が記憶する時刻情報から目的の画像情報を得て、さらに使用者１３１が記憶する位置情報で画像情報を得て、使用者１３１の画像情報の管理の利便性を向上する。また、図９から図１１のように公開用選択アイコン９０６を用意することで、本システムを用いて閲覧している画像情報を、インターネット１０で公開する画像情報として、移動させて入力する事で選択して、まとめる機能を有すると、さらに使用者１３１の利便性が向上する。図１２は、階層９１３による携帯電話６１で得た位置情報を取得した時の情報をそれぞれ、情報欄９４３、情報欄９４４のように示している。情報欄９４３は、例えば、図８の矢印８１３の時刻情報と、例えばそのとき携帯電話６１で入力した文字列「○○展示場」の表示あればよい。最後の「３」の表示は格納する画像情報の数などであればよい。丸９４４は、文字情報がない場合などに表示される。情報欄９４３を選択すると図９の特定の分類９１３が選択されたり、図１０のように特定の画像が表示されたり、地図上で画像を取得した場所が表示されてもよい。図９の検索ボタン９０５は、時刻情報や位置情報などで情報を検索するのに利用すればよい。
【００８９】
【発明の効果】
本発明によれば、後に２つの固有情報を比較して、過去に取得した位置情報と画像情報を関係付けることで、取得した画像情報がどこの場所で撮影したものかを明らかにする。過去に取得され、画像情報と位置情報を、別々に送ることから、使用者１３１の個人情報の流出を防止したりして安全性を向上する。印刷物などの静止画情報や動画の動画情報を位置情報と関係づけて記憶することで、後の編集に用いて撮影した場所の記憶ができ使用者１３１の利便性が向上する。さらに、位置情報と固有情報のそれぞれに固有情報を記載して、一方から他方を容易に特定する手段を有することで一方を印刷物にしても固有情報を記載すれば、使用者１３１の個人情報を流出しないで他方を容易に特定でき、安全性と利便性が向上する。携帯して日常で使用者１３１が扱う携帯型情報装置や画像取得装置の機能を複雑化することなく使用者１３１へ提供し、画像情報と位置情報を関係付けられるために、携帯する機器として利用しやすさや軽量であることで使用者１３１の利便性を向上する。このように、ＧＰＳ信号受信機能を搭載した高機能の画像取得装置を購入しなくても、一般的に携帯する機器にて取得が容易な時刻情報や番号情報や暗号情報や文字情報にて位置情報と画像情報を関係付けることは、使用者１３１が管理しやすく、編集もしやすく、利便性がよい。また、携帯電話などでは、デジタルカメラの画像容量は大きく、携帯電話により画像情報を送信することは、送信時間と通信コストと通信業者との契約の手間が必要なく、使用者１３１に利便性よい。また、位置情報は、自動的に複数個を順次記憶することにより、使用者１３１が画像情報を取得するたびに、毎回位置情報を取得手段を動作する手間を省き、利便性を向上する。また、時刻情報で位置情報と画像情報を管理するために、時系列に取り扱いやすく、使用者１３１が編集するのに利便性がよい。また、使用者１３１が訪問した順に、画像を表示できるなど、利便性がよい。
【００９０】
実施例１と２では、使用者１３１が情報処理装置を操作して、取得した位置情報から地図情報や地域情報を得ることで、文字情報や時刻情報や画像情報を得た位置情報を地図上で明確にしたり、周辺の店舗などの地域の情報を調査したり、日記などに編集しなおしたりして、後の編集をしやすくして使用者１３１の利便性が向上する。また、位置情報を特定しない固有情報を記憶手段にて記憶して、処理手段にて他の固有情報が特定する位置情報と関係付ける事で、ほぼ同じ位置で複数の画像を得る際に、逐一位置情報を取得する手間を省き、さらに後に位置情報と関係付けて、分類して記憶する事で、閲覧しやすくしたり、さらに目的の画像情報を特定しやすくして、使用者１３１の利便性を向上する。また、位置情報を特定しない固有情報を記憶手段にて記憶して、処理手段にて位置情報と関係ない画像情報を分類する事で、例えば、人の顔の写る画像と、位置が関係付かないようにして、個人情報が流出しないように安全性を向上する。また、安全性を使用者１３１が選択する事で利便性を向上する。
【００９１】
また、別の装置にて、画像情報と位置情報を取得する際、外出先などの撮影時に手間を掛けて、接続したり、編集したり、関係付けたりする必要がない。画像情報と位置情報が必ず添付して一体で記載され公開されると、個人がどこの場所で何時にどのような状態で居たかを特定され、自宅の位置など個人情報が過剰に公開されるが、位置情報と画像情報を別々に記憶しておいても後に容易に画像情報と位置情報を関係付けられるために安全性を向上することが可能となる。
【００９２】
このような効果にて、使用者１３１が携帯型情報装置や画像取得装置を利用するのを促進したり、これらで利用するプログラムやサイトの利用を促進する。外出中に記憶媒体を紛失して、位置情報などが流出することを防止して、安全性を向上するのに効果がある。また、位置情報と画像情報を記憶媒体に記憶して持ち歩いて、外出中に個人の位置情報と画像情報が同時に流出する危険性を軽減するなど、携帯型情報装置の記憶容量の負担を軽減するなどして、使用者１３１の利便性を向上する。また、通信の利用促進や、情報提供装置の利用を促進する。情報処理装置は、使用者１３１の個人認証をして使用者１３１本人であることを確認して利用を許可する。これにより、使用者１３１の情報流出を防ぎ信頼性が向上し、使用者１３１ごとの情報を管理することを容易にして、システム管理の効率が向上する。
【００９３】
実施例３では、位置情報と画像情報を別に送信することができる。通信容量が大きい画像情報は別の方法で送信したり、位置情報は、送信時刻を変えることで、送信中、または外出中に記憶媒体を紛失して、位置情報と画像情報が同時に流出することを防止して、使用者１３１の個人情報を保護して安全性を向上させることができる。画像情報を画像取得装置より第三者へ送信する場合、位置情報を送信せずに、別に記憶して、後に関係付ける手段を有することで、使用者１３１の個人情報の流出を防止する。また、画像情報を固有情報を記載して印刷した場合、記録した固有情報から特定される位置情報より、印刷した印刷物の撮影した場所が地図上で閲覧したりでき、使用者１３１の利便性が向上する。
【００９４】
実施例４では、携帯型情報装置が送信後に位置情報を時間、件数、使用者１３１の操作などで消去する機能を有することで、位置情報の長期間の記憶を防止することで、携帯型情報装置の記憶容量の利用を効率化し、さらに携帯型情報装置を紛失しても重要な個人情報である位置情報が流出する危険性を軽減する。また、位置情報を画像情報と分離して情報処理装置に保存してこくことで、提供者は、特定な者へ画像情報に密接に関係する位置情報を安全に共有することができ、また、目的とする程度の安全性を任意に設定できる。本例の示す位置情報利用システムの特徴としては、携帯型情報装置にて取得した位置情報を情報処理装置へ随時記憶させる事がある。これにより、使用者１３１個人の位置情報の安全性を向上し、かつ、提供者から使用者１３１へ位置情報と画像情報を利用した各種情報の提供を容易とする。
【図面の簡単な説明】
【図１】本発明の一実施例の各手段の第一の構成である。
【図２】本発明の現在位置取得方法の構成例である。
【図３】本発明の一実施例の位置情報利用システムで用いる装置の構成である。
【図４】本発明の一実施例の表示画面の構成である。
【図５】本発明の一実施例の表示画面の構成である。
【図６】本発明の一実施例の各手段の第二の構成である。
【図７】本発明の一実施例の印刷物の構成である。
【図８】本発明の一実施例の処理手段の例である。
【図９】本発明の一実施例の表示画面の構成である。
【図１０】本発明の一実施例の表示画面の構成である。
【図１１】本発明の一実施例の表示画面の構成である。
【図１２】本発明の一実施例の表示画面の構成である。
【符号の説明】
１　情報処理装置
２　記憶手段
３　受信手段
４　処理手段
５　情報記憶手段
６　携帯型情報装置
７　画像取得装置
８　情報伝送路
９　情報伝送路
１３１　使用者
【図１】
2004140658.tif 000003
【図２】
2004140658.tif 000004
【図３】
2004140658.tif 000005
【図４】
2004140658.tif 000006
【図５】
2004140658.tif 000007
【図６】
2004140658.tif 000008
【図７】
2004140658.tif 000009
【図８】
2004140658.tif 000010
【図９】
2004140658.tif 000011
【図１０】
2004140658.tif 000012
【図１１】
2004140658.tif 000013
【図１２】
2004140658.tif 000014